(57)【要約】【課題】デザイン性や機械的強度に優れ、高音質なウェアラブルデバイスを提供する。【解決手段】ウェアラブルデバイス１において、左右のリム２は互いに連結されている。それぞれのテンプル３は、リム２の端部上縁よりも下方に取り付けられ、直線状に延在している。それぞれのモダン４は、テンプル３から上方に向かって起立し、装着者の耳に係合可能な形状を有する。それぞれの骨伝導スピーカーは、テンプルとモダンとを連結する部位（収容部位５）の内部空間には、骨伝導スピーカーと制振機構とが収容されている。制振機構は、骨伝導スピーカーからウェアラブルデバイス１への不要な振動伝搬を抑制する。【選択図】図１
2020057977.tif 000002
【特許請求の範囲】
【請求項１】
アイウェア型のウェアラブルデバイスにおいて、
互いに連結された左右のリムと、
それぞれが、前記リムの端部上縁よりも下方に取り付けられ、直線状に延在する一対のテンプルと、
それぞれが、前記テンプルから上方に向かって起立し、装着者の耳に係合可能な形状を有する一対のモダンと、
それぞれが、前記テンプルと前記モダンとを連結する部位における内部空間に収容された一対の骨伝導スピーカーと、
それぞれが、前記内部空間に収容され、前記骨伝導スピーカーから前記ウェアラブルデバイスへの不要な振動伝搬を抑制する一対の制振機構と
を有することを特徴とするウェアラブルデバイス。
【請求項２】
前記制振機構は、前記内部空間に収容された前記骨伝導スピーカーを少なくとも３点で支持する複数の棒型オイルダンパーであることを特徴とする請求項１に記載されたウェアラブルデバイス。
【請求項３】
前記複数の棒型オイルダンパーは、少なくとも、前記テンプルの延在方向に向かって突出した第１の棒型オイルダンパーと、前記モダンの延在方向に向かって突出した第２の棒型オイルダンパーとを有することを特徴とする請求項２に記載されたウェアラブルデバイス。
【請求項４】
前記制振機構は、前記内部空間に収容された前記骨伝導スピーカーを全周に亘って支持するドーナツ型オイルダンパーであることを特徴とする請求項１に記載されたウェアラブルデバイス。
【請求項５】
骨伝導スピーカーユニットにおいて、
アイウェアのリムの端部上縁よりも下方に取り付けられ、直線状に延在するテンプルと、
直線状に延在するテンプルから上方に向かって起立し、装着者の耳に係合可能な形状を有するモダンと、
前記テンプルと前記モダンとを連結する部位における内部空間に収容された骨伝導スピーカーと、
前記内部空間に収容され、前記骨伝導スピーカーから前記ウェアラブルデバイスへの不要な振動伝搬を抑制する制振機構と
を有することを特徴とする骨伝導スピーカーユニット。
【発明の詳細な説明】
【技術分野】
【０００１】
本発明は、アイウェア型のウェアラブルデバイスおよび骨伝導スピーカーユニットに係り、特に、骨伝導スピーカーの配置に伴うアイウェア形状の改良に関する。
【背景技術】
【０００２】
従来、骨伝導スピーカーを内蔵し、このスピーカーの振動を装着者の頭蓋骨に伝搬するアイウェア型のウェアラブルデバイスが知られている。例えば、特許文献１には、骨伝導ユニットを内蔵した補聴器具が開示されている。図５に示すように、この補聴器具２０は、左右に設けられた一対のつる２１のそれぞれに骨伝導ユニット２２が取り付けられている。骨伝導ユニット２２は、つる２１の中間部において下方に突出するように設けられており、使用者の頬骨近傍を軽く押し付けるようになっている。
【先行技術文献】
【特許文献】
【０００３】
【特許文献１】特開２００４−２０５８３９号公報
【発明の概要】
【発明が解決しようとする課題】
【０００４】
しかしながら、上述した特許文献１では、骨伝導ユニット２２がつる２から下方に突出しているため、特殊なアイウェアであることが一目瞭然であり、デザイン性に優れているとはいえない。また、補聴器２０を落下してしまった際、骨伝導ユニット２２が根元から折れてしまうおそれがあるほか、骨伝導ユニット２２自体の振動によって音質の悪化を招き易い。
【０００５】
本発明は、かかる事情に鑑みてなされたものであり、その目的は、デザイン性や機械的強度に優れ、高音質なウェアラブルデバイスを提供することである。
【課題を解決するための手段】
【０００６】
かかる課題を解決すべく、第１の発明は、左右のリムと、一対のテンプルと、一対のモダンと、一対の骨伝導スピーカーと、一対の制振機構とを有するアイウェア型のウェアラブルデバイスを提供する。左右のリムは互いに連結されている。それぞれのテンプルは、リムの端部上縁よりも下方に取り付けられ、直線状に延在している。それぞれのモダンは、テンプルから上方に向かって起立し、装着者の耳に係合可能な形状を有する。それぞれの骨伝導スピーカーは、テンプルとモダンとを連結する部位における内部空間に収容されている。それぞれの制振機構は、当該内部空間に収容され、骨伝導スピーカーからウェアラブルデバイスへの不要な振動伝搬を抑制する。
【０００７】
第２の発明は、テンプルと、モダンと、骨伝導スピーカーと、制振機構とを有する骨伝導スピーカーユニットを提供する。テンプルは、アイウェアのリムの端部上縁よりも下方に取り付けられ、直線状に延在する。モダンは、直線状に延在するテンプルから上方に向かって起立し、装着者の耳に係合可能な形状を有する。骨伝導スピーカーは、テンプルとモダンとを連結する部位における内部空間に収容されている。制振機構は、当該内部空間に収容され、骨伝導スピーカーからウェアラブルデバイスへの不要な振動伝搬を抑制する。
【０００８】
ここで、第１および第２の発明において、上記制振機構は、内部空間に収容された骨伝導スピーカーを少なくとも３点で支持する複数の棒型オイルダンパーであってもよい。この場合、複数の棒型オイルダンパーは、少なくとも、テンプルの延在方向に向かって突出した第１の棒型オイルダンパーと、モダンの延在方向に向かって突出した第２の棒型オイルダンパーとを有することが好ましい。また、上記制振機構は、内部空間に収容された骨伝導スピーカーを全周に亘って支持するドーナツ型オイルダンパーであってもよい。
【発明の効果】
【０００９】
本発明によれば、テンプルを通常のアイウェアよりも低い位置に設け、テンプルを低くした分だけ、装着者の耳に係合するモダンをテンプルから上方に向かって起立させる。これにより、骨伝導スピーカーをテンプルから下方に突出させなくても、テンプルの延在方向上に骨伝導スピーカーを配置できる。その結果、骨伝導スピーカーをテンプルから下方に突出させる形状と比較して、デザイン性や機械的強度の向上を図ることができる。また、骨伝導スピーカーは、ウェアラブルデバイスとして一体化された内部空間において制振機構を介して収容されており、振動源として安定するため、音質の向上を図ることができる。
【図面の簡単な説明】
【００１０】
【図１】ウェアラブルデバイスの外観斜視図
【図２】ウェアラブルデバイスの要部側面図
【図３】第１の例に係る制振機構の説明図
【図４】第２の例に係る制振機構の説明図
【図５】従来技術の説明図
【発明を実施するための形態】
【００１１】
図１は、本実施形態に係るウェアラブルデバイスの外観斜視図である。このウェアラブルデバイス１は、左右のリム２と、一対のテンプル３と、一対のモダン４とを主体としたアイウェア型の形状を有している。
【００１２】
左右のリム２は、互いに連結されており、それぞれにガラスまたはレンズが取り付けられている。それぞれのテンプル３は、左右のリム２の端部に取り付けられて、後方に向かって直線状に延在している。テンプル３は、後述する骨伝導スピーカー６の配置位置を最適化すべく、通常のアイウェアとは異なり、リム２の端部上縁よりも下方に取り付けられている。それぞれのモダン４は、テンプル３から上方に向かって起立し、装着者の耳に係合可能な形状を有する。テンプル３とモダン４とを連結する部位は、円柱を真横に配置した形状を有しており、これによって収容部位５が形成されている。左右の収容部位５における互いに向き合った平面は、骨伝導における皮膚との接触点（骨導）、すなわち、骨に対する振動の入力箇所となる。
【００１３】
図２は、ウェアラブルデバイス１の要部側面図である。本実施形態において、テンプル３は、前方に位置する第１のテンプル部３ａと、後方に位置する第２のテンプル部３ｂとを有する。第１のテンプル部３ａは、その一端が取付ネジによってリム２に取り付けられている。取付ネジを外すことによって、リム２やレンズを自由に選択または交換することができる。第２のテンプル部３ｂは、第１のテンプル部３ａよりも大きな断面を有し、その内部にはコントローラ、無線通信用チップ、マイクなどが設けられている。コントローラは、装着者の指示に応じて、電源のオン／オフ、録音の再生／停止、音量調整、早送り／早戻しなどを制御する。
【００１４】
収容部位５には内部空間が設けられており、骨伝導スピーカー６が収容されている。骨伝導スピーカー６は、ウェアラブルデバイス１の装着者との接触点を介して、発すべき音に応じて骨を振動させることで、装着者に音を伝える。骨伝導スピーカー６は、装着者が最も聞こえやすい箇所に配置されており、本実施形態では、φ１２ｍｍ程度の小型の骨伝導スピーカー６を用いている。
【００１５】
骨伝導が可能な接触点については様々な位置が考えられるが、耳珠、耳前部、乳突部、耳裏上部、耳裏下部の５つを比較対象として、難聴者へのヒアリングを行った結果、装着者にとって最も聴こえ易い位置は耳珠の近傍であるとの知得を得るに至った。しかし、一般的なアイウェアでは、テンプルの位置が耳珠の上方に位置するようにデザインされているため、テンプル上に骨伝導スピーカーを配置することはできず、それゆえに、上述した特許文献１のように、テンプルから下方に突出する形で配置せざるを得ない。これに対して、本実施形態では、テンプル３を通常よりも低い位置、具体的には、リム２の端部上縁よりも下方に設けている。これにより、テンプル３上に骨伝導スピーカー６を配置しても、接触点を耳珠の近傍に位置させることが可能になる。
【００１６】
また、収容部位５の内部空間には、骨伝導スピーカー６と共に制振機構７が収容されている。制振機構７は、骨伝導スピーカー６からウェアラブルデバイス１への不要な振動伝搬を抑制する。
【００１７】
図３は、第１の例に係る制振機構７の説明図である。本例の制振機構７は、少なくとも３本の棒型オイルダンパー７ａ〜７ｃで構成されている。棒型オイルダンパー７ａ〜７ｃは、その内部にオイルが充填されており、軸方向に伸縮自在である。これによって、収容部位５の内部空間に収容された骨伝導スピーカー６は、少なくとも３点で安定的に支持される。ここで、棒型オイルダンパー７ａ〜７ｃの配置について、コンパクト化を図るべく、棒型オイルダンパー７ａをテンプル３の延在方向に向かって突出するように配置し、棒型オイルダンパー７ｂをモダン４の延在方向に向かって突出するように配置してもよい。
【００１８】
図４は、第２の例に係る制振機構７の説明図である。本例の制振機構７は、ドーナツ型オイルダンパー７ｄによって構成されている。ドーナツ型オイルダンパー７ｄは、その内部にオイルが充填されており、その全周に亘って伸縮自在である。これにより、収容部位５の内部空間に収容された骨伝導スピーカー６は、その全周に亘って安定的に支持される。
【００１９】
モダン４は、テンプル３の後方から上方に向かって起立した後、水平方向に湾曲し、更に斜めに下がっている。モダン４は任意に曲げることができ、これによって、個々の装着者に適したフィット感を確保できる。また、モダン４の後端には、ウェアラブルデバイス１から取り外して充電できるバッテリーが内蔵されている。
【００２０】
このように、本実施形態によれば、テンプル３を通常のアイウェアよりも低い位置に設け、テンプル３を低くした分だけ、装着者の耳に係合するモダン４をテンプルから上方に向かって起立させる。これにより、従来技術のように、骨伝導スピーカー６をテンプル３から下方に突出させなくても、テンプル３の延在方向上、すなわち、最も音が聞こえやすい箇所に骨伝導スピーカー６を配置できる。その結果、従来技術と比べて、デザイン性や機械的強度の向上を図ることができる。また、骨伝導スピーカー６は、ウェアラブルデバイス１として一体化された内部空間において制振機構７を介して収容されており、振動源として安定するため、音質の向上を図ることができる。
【００２１】
特に、本実施形態によれば、装着者にとって最も聴こえ易い接触点の位置は耳珠の近傍であるとの知得に基づき、耳珠の近傍と重なるようにテンプル３の位置を下げる。これにより、デザイン的にも音質的にも優れたウェアラブルデバイス１を実現することができる。
【００２２】
なお、上述した実施形態では、骨伝導スピーカー６を内蔵したウェアラブルデバイス１について説明したが、本発明はこれに限定されるものではなく、アイウェアのリムに取付可能な骨伝導スピーカーユニットとしても実現してもよい。この場合、骨伝導スピーカーユニットは、上述したテンプル３と、モダン４と、骨伝導スピーカー６と、制振機構７とを備える。
【符号の説明】
【００２３】
１  ウェアラブルデバイス
２  リム
３  テンプル
３ａ  第１のテンプル部
３ｂ  第３のテンプル部
４  モダン
５  収容部位
６  骨伝導スピーカー
７  制振機構
７ａ〜７ｃ  棒型オイルダンパー
７ｄ  ドーナツ型オイルダンパー
【図１】
2020057977.tif 000003
【図２】
2020057977.tif 000004
【図３】
2020057977.tif 000005
【図４】
2020057977.tif 000006
【図５】
2020057977.tif 000007